(57)【要約】【課題】本発明は、ＬＥＤレンズに関し、光源と表示部との位置が、オフセットにせざるを得ないような状況の下において、ＬＥＤの光が均一に見られるようにすることが課題である。        【解決手段】合成樹脂製の透明若しくは半透明なＬＥＤレンズであって、当該レンズの光軸と光源の入光軸とがオフセットされ、入光部から入光したＬＥＤの光を前記レンズの光軸に向かって反射させるＲ曲面形状の反射部と、該反射部から反射された光をレンズの表示部に向かって乱反射させる鋸歯状の乱反射部とが設けられているＬＥＤレンズ１。【選択図】図１
2005327548.tif 000002
【特許請求の範囲】
【請求項１】
合成樹脂製の透明若しくは半透明なＬＥＤレンズであって、当該レンズの表示部における光軸と入光部における光源の光軸とがオフセットされ、入光部から入光したＬＥＤの光を前記レンズの光軸に向かって反射させるＲ曲面形状の反射部と、該反射部から反射された光をレンズの表示部に向かって乱反射させる鋸歯状の乱反射部とが設けられていること、
を特徴とするＬＥＤレンズ。
【請求項２】
鋸歯状の乱反射部は、所要幅の鋸歯が互いにピッチをずらして千鳥配置にして併設されて成ること、
を特徴とする請求項１に記載のＬＥＤレンズ。
【発明の詳細な説明】
【技術分野】
【０００１】
本発明は、例えば、電子・電気機器の電源部や操作部等において表示手段として用いられる発光ダイオード（以下、ＬＥＤ）レンズに関するものである。
【背景技術】
【０００２】
従来、例えば、消費電力の少ないＬＥＤを光源として常夜灯に使用され、筐体のプリント基板上に固着された当該ＬＥＤの真上に、半透明プラスチック製のカバーが設けられているものが知られている（特許文献１参照）。
【特許文献１】特開２００３−３６７０６号公報
【０００３】
しかし、従来のＬＥＤレンズでは、当該レンズの表示部における光軸上に光源が無いと、均一な明るさが得られず、外観視すると、明暗があって光源の位置ズレが容易に把握されるものである。
【発明の開示】
【発明が解決しようとする課題】
【０００４】
光源とＬＥＤレンズの表示部との位置が、筐体内部の電子部品やプリント基板配置の関係から、ずらしてオフセットにせざるを得ないような状況の下において、ＬＥＤの光が均一に見られるようにすることが課題である。
【課題を解決するための手段】
【０００５】
本発明に係るＬＥＤレンズの要旨は、合成樹脂製の透明若しくは半透明なＬＥＤレンズであって、当該レンズの表示部における光軸と入光部における光源の光軸とがオフセットされ、入光部から入光したＬＥＤの光を前記レンズの光軸に向かって反射させるＲ曲面形状の反射部と、該反射部から反射された光をレンズの表示部に向かって乱反射させる鋸歯状の乱反射部とが設けられていることである。
【０００６】
また、前記鋸歯状の乱反射部は、所要幅の鋸歯が互いにピッチをずらして千鳥配置にして併設されて成ることを含むものである。
【発明の効果】
【０００７】
本発明のＬＥＤレンズは、当該レンズの表示部における光軸と入光部における光源の光軸とがオフセットされ、入光部から入光したＬＥＤの光を前記レンズの光軸に向かって反射させるＲ曲面形状の反射部と、該反射部から反射された光をレンズの表示部に向かって乱反射させる鋸歯状の乱反射部とが設けられているので、光源のＬＥＤがレンズの光軸に対してオフセットされていても、乱反射部で乱反射されて、レンズから均一な光が発光する。
【０００８】
更に、前記鋸歯状の乱反射部は、所要幅の鋸歯が互いにピッチをずらして千鳥配置にして併設されて成るので、反射部から反射された光が、確実に乱反射されるようになり、均一な発光となる。
【発明を実施するための最良の形態】
【０００９】
本発明に係るＬＥＤレンズは、図１乃至図２に示すように、合成樹脂製の透明若しくは半透明なＬＥＤレンズである。このレンズの表示部２，３は、外部から見て細長い四角形状に成っており、その下には、乱反射部４，５が設けられている。
【００１０】
前記乱反射部４，５の側方に、光源としてのＬＥＤからの光が、レンズ内部に入光する入光部６，７がある。更に、前記入光部６，７からレンズ内部に入光したＬＥＤの光を、このレンズの表示部２，３における光軸ａに向かって反射させるＲ曲面形状の反射部８，９が設けられている。
【００１１】
前記乱反射部４，５と、入光部６，７及び反射部８，９には、その表面に鏡面加工が施されている。また、このＬＥＤレンズ１の電子機器における筐体への固着手段として、当該筐体側のボス部に嵌合させる嵌合孔部１０、嵌合部１１が設けられている。
【００１２】
前記乱反射部４，５は、前記反射部８，９から反射された光を、レンズの表示部２，３に向かって乱反射させるように、図２乃至図４に示すように、鋸歯状に形成されている。
【００１３】
前記鋸歯状の乱反射部４，５は、図３乃至図４に示すように、所要幅の鋸歯４ａ，４ｂが互いにピッチをずらして千鳥配置にして併設されて成る。これにより、ＬＥＤの光を確実に乱反射させ、レンズの表示部２，３に均一に散光するようになっている。
【００１４】
こうして、前記ＬＥＤレンズ１の光軸ａと、入光部６，７の下に配置される光源（ＬＥＤ）の入光軸とがオフセットされている状態（これは、設計上における部品実装配置の制約によることが多い）において、光の位置ズレが判らないようにしている。
【００１５】
図５（Ａ），（Ｂ）に示すように、電子機器内部のプリント基板１２上に実装されたＬＥＤ１３から発光した光が、電子機器の筐体であるカバー１４に固定されたＬＥＤレンズ１の入光部６，７から当該レンズ内部に進入し、Ｒ曲面形状の反射部８，９で光軸ａ側に反射される。そして、乱反射部４，５において、鋸歯状の鋸歯４ａ，４ｂにより前記光が確実に乱反射して、前記カバー１４の表示孔に嵌合された表示部２，３から外部に散光する。
【００１６】
こうして、ＬＥＤ１３の光が、前記乱反射部４，５によって乱反射された結果、表示部２，３から均一な光となって散光され、看者に認識される。ＬＥＤが表示部の位置からオフセットされた状態でも、光源の位置がずれていると認識されないものである。
【図面の簡単な説明】
【００１７】
【図１】本発明に係るＬＥＤレンズ１の、正面図（Ａ）、底面図（Ｂ）、左右側面図（Ｃ），（Ｄ）である。
【図２】同ＬＥＤレンズ１の平面図である。
【図３】同図２におけるＺ−Ｚ線に沿った断面図である。
【図４】同図２におけるＹ−Ｙ線に沿った断面図である。
【図５】同本発明に係るＬＥＤレンズ１の使用状態説明図（Ａ）、斜視図（Ｂ）である。
【符号の説明】
【００１８】
１          ＬＥＤレンズ、
２          表示部、
３          表示部、
４          乱反射部、
５          乱反射部、
６          入光部、
７          入光部、
８          反射部、
９          反射部、
１０        嵌合孔部、
１１        嵌合部、
１２        プリント基板、
１３        ＬＥＤ、
１４        カバー。
【図１】
2005327548.tif 000003
【図２】
2005327548.tif 000004
【図３】
2005327548.tif 000005
【図４】
2005327548.tif 000006
【図５】
2005327548.tif 000007